(57)【要約】【課題】  ゴルフボールの取出し及び補充を速やかに行うことができるとともに、多数の予備のゴルフボールを収納することができるゴルフボール収納具、及び当該収納具を備えたゴルフバッグを提供する。【解決手段】  複数のゴルフボールを同時に挿入可能な開口部３を有するとともに内部に複数のゴルフボールを収納可能な内袋１と、当該内袋１と共通の開口部３を有するとともに内袋１を収納可能な外袋２とを備える。開口部３には、外縁部に沿って枠部材９が設けられ、開口部３を、ゴルフボールが通過不能な閉状態と、複数のゴルフボールが同時に通過可能な開状態とにわたって開閉する蓋部４が設けられている。さらに、外袋２は、取付け対象物に着脱自在に装着される取付部材２０を外面に備えている。【選択図】  図１
0003110810.tif 000002
【実用新案登録請求の範囲】
【請求項１】
複数のゴルフボールが同時に通過可能な開口部を有するとともに、内部に複数のゴルフボールを収納可能な内袋と、
前記内袋の開口部と共通の開口部を有するとともに、前記内袋を収納可能な外袋と、
前記開口部の外縁に沿って設けられた枠部材と、
前記開口部に設けられ、当該開口部を、ゴルフボールが通過不能な閉状態と、複数のゴルフボールが同時に通過可能な開状態とにわたって開閉する蓋部と、
前記外袋の外面に設けられ、取付け対象物に着脱自在に装着される取付部材と、
を備えたゴルフボール収納具。
【請求項２】
前記蓋部は、前記開口部の外縁に沿って筒状の布体からなり、当該蓋部の開放端が巾着絞りを備えた請求項１に記載のゴルフボール収納具。
【請求項３】
前記内袋がメッシュ状の底部を備えるとともに、前記外袋の底部が排水口を備えた請求項１記載のゴルフボール収納具。
【請求項４】
請求項１から３のいずれかに記載のゴルフボール収納具が着脱自在に装着されたゴルフバッグ。
【考案の詳細な説明】
【技術分野】
【０００１】
本考案は、ゴルフのプレー中に携行する予備のゴルフボールを収納するゴルフボール収納具及び当該収納具を備えたゴルフバッグに関する。
【背景技術】
【０００２】
ゴルフの競技者は、プレー中にゴルフボールを紛失する可能性がある。このため、競技者は、常に複数個の予備のゴルフボールを携行してプレーを行う。一般に、市販のゴルフバッグには、このような予備のゴルフボールの収納に利用可能なサイドポケットが設けられている。しかしながら、このようなサイドポケットは、通常、ゴルフバッグの下部に設けられている。このため、競技者は予備のゴルフボールを取出すために、前屈みの姿勢や、しゃがむ姿勢をとらなければならない。また、サイドポケットからゴルフボールを取出すために、サイドポケットに設けられているファスナ等を開閉しなければならず、手間がかかるという問題があった。
【０００３】
このため、予備のゴルフボールを携行するための様々な形態の収納具が提案されている。例えば、後掲の特許文献１には、競技者がベルト等に取り付けて携行する筒状のボールホルダが開示されている。また、後掲の特許文献２には、ゴルフクラブのシャフトと同等の長さを有するポールの先端にボールを収納する筒状のケースを取り付け、ゴルフクラブとともにゴルフバッグに収納するボールホルダが開示されている。
【特許文献１】実開平６−５６５６号公報
【特許文献２】登録実用新案３００００７８号公報
【考案の開示】
【考案が解決しようとする課題】
【０００４】
しかしながら、特許文献１に開示されているボールホルダは、競技者が腰に取り付けた際に歩行やプレーに支障がないように、ゴルフボールの収納個数は１〜２個に制限されてしまう。仮に、このようなボールホルダをゴルフバッグのベルトに装着して使用するようにすれば、収納個数を増大させることができる。この場合、筒状のホルダ部を長くしなければならず、競技者がゴルフボールを取り出すためにゴルフボールを移動させる距離が長くなり、ゴルフボールは取出し難くなってしまう。また、特許文献２に開示されている考案でも同様に、ゴルフクラブの取り出しに支障がないようにするためには、必然的にゴルフボールの収納個数が制限されてしまう。
【０００５】
以上のように、従来のボールホルダでは、ゴルフボールの収納個数を増やすことが困難である。したがって、プレー中にゴルフボールを紛失する可能性の高い初心者等は、プレー中に頻繁にゴルフボールをボールホルダに補充しなければならず、この補充のためにゴルフバッグのサイドポケット等から予備のゴルフボールを取り出さなければならない。また、筒状のボールホルダにゴルフボールを補充するには、ゴルフボールを１個ずつ挿入する必要があり、ゴルフボールを頻繁に補充する作業は非常に手間がかかる。
【０００６】
本考案は、上記のような従来の問題点を解決するため提案されたものであって、ゴルフボールの取出し及び補充を速やかに行うことができるとともに、多数の予備のゴルフボールを収納することができるゴルフボール収納具、及び当該収納具を備えたゴルフバッグを提供することを目的としている。
【課題を解決するための手段】
【０００７】
上記従来の課題を解決するために、本考案は以下の手段を採用している。すなわち、本考案のゴルフボール収納具は、複数のゴルフボールを同時に挿入可能な開口部を有するとともに内部に複数のゴルフボールを収納可能な内袋と、当該内袋の開口部と共通の開口部を有するとともに前記内袋を収納可能な外袋とを備える。また、上記開口部には、外縁部に沿って枠部材が設けられるとともに、当該開口部を、ゴルフボールが通過不能な閉状態と、複数のゴルフボールが同時に通過可能な開状態とにわたって開閉する蓋部が設けられている。さらに、外袋は、取付け対象物に着脱自在に装着される取付部材を外面に備えている。ここで、上記蓋部は、例えば、上記開口部の外縁に沿って一端が結合された筒状の布等で構成することができる。この場合、蓋部の開放端は、外縁に沿って紐を通す筒状の空間が設けられおり、当該紐通し空間に通された紐を絞る、あるいは緩めることで蓋部の開閉が行われる巾着絞りを備える。また、取付部材は、例えば、ゴルフバッグ等の取付け対象物が備える環状部材に着脱される外れ止めを有するフックや、取付け対象物の外周を縛るベルト等で構成することができる。なお、上記構成において、上記内袋がメッシュ状の底部を備えるとともに、上記外袋の底部が排水口を備えることが好ましい。
【０００８】
他の観点では、本考案は上述のゴルフボール収納具を備えたゴルフバッグを提供することができる。
【考案の効果】
【０００９】
本考案のゴルフボール収納具によれば、競技者は、蓋部を開状態にすることで、複数のゴルフボールが同時に通過可能な開口部を介して、ゴルフボールの取出し、あるいは、内袋へのゴルフボールの補充を容易に行うことができる。また、蓋部を閉状態とすれば、内部のゴルフボールが、例えば、移動時の振動等により収納具外に放出されることもない。
【００１０】
また、本考案のゴルフボール収納具は、ゴルフバッグやゴルフカート等の取付け対象物から取り外し可能であるため、例えば、ゴルフバッグやゴルフカート等から離れた位置で打席に立つ必要がある場合でも、競技者が携行して移動することができる。このため、ゴルフバッグやゴルフカートから離れた位置でＯＢ（Out of Bounds）となった場合でも、その場で速やかに予備のゴルフボールを取出すことができる。
【００１１】
さらに、内袋の底部がメッシュ状の底部を備えるとともに外袋が排水口を備える構造を採用すれば、雨天でのプレー時等にゴルフボール収納具内に雨水が浸入した場合でも、当該収納具内に水が溜まることを防止できる。
【考案を実施するための最良の形態】
【００１２】
以下、本考案について図面を参照しながらより詳細に説明する。図１及び図３は、本考案に係るゴルフボール収納具の一実施形態を示す斜視図である。また、図２及び図４は、ゴルフボール収納具の内部にゴルフボールを収容した状態を示す断面図である。さらに、図５は、ゴルフボール収納具の背面図であり、図６は、本実施形態のゴルフボール収納具を、ゴルフバッグに取付けた状態を示す斜視図である。なお、図１及び図２は蓋部が開状態である場合を示す図であり、図３及び図４は、蓋部が閉状態である場合を示す図である。
【００１３】
図１〜図４に示すように、本考案のゴルフボール収納具１０は、内部に複数のゴルフボール１１を収納可能な有底の円筒状の内袋１と、複数のゴルフボール１１を収納した内袋１を、内部に収納可能な有底の円筒状の外袋２とを備える。内袋１及び外袋２は、上部に複数のゴルフボール１１が同時に通過可能な開口部３ａ、３ｂを有する。内袋１の開口部３ａと、外袋２の開口部３ｂとは、略同形に構成されており、各開口部３ａ及び３ｂの外縁が、例えば、縫合や接着等により互いに連結されている。なお、以下では、開口部３ａ、３ｂを区別することなく、開口部３と呼称する。
【００１４】
本実施形態では、内袋１及び外袋２を略円筒状に形成しているが、その形状、色、大きさ等は特に限定されるものではなく、目的に応じて適宜選択することができる。ここでは、ゴルフボール１１が５〜８個程度収納できる大きさにしている。また、内袋１及び外袋２の材質も特に限定されるものではなく、合成繊維や綿等の自然繊維からなる布、皮、柔軟な樹脂等を採用することができる。ここでは、内袋１が、外袋２の外部に引出すことができるように、比較的薄い布で構成している。
【００１５】
また、開口部３には、当該開口部３と略同一の開口部を有する筒状の蓋部４が、例えば、縫合、接着等により連結されている。当該蓋部４の開放端にはその外縁に沿って紐を通す筒状の空間５（以下、紐通し部５という。）が形成されており、当該紐通し部５に紐６が挿入されている（図２、図４参照）。また、紐通し部５は、蓋部４の開放端から連結端にわたって、蓋部４の一部にも形成されており、紐６の両端は、内袋１と外袋２の間の空間を経由して外袋２に設けられた開口７から外部に導出されている。つまり、蓋部４の開放端は巾着絞りを備えている。
【００１６】
したがって、競技者が紐６を開口７から引出すと、蓋部４の開放端は絞られ、図３及び図４に示すように蓋部４は閉状態となる。ここで、蓋部４の開放端から連結端までの長さを、開口部３の半径以上の長さとすれば、閉状態にある蓋部４は開口部３をほぼ完全に閉塞する。このため、移動時等の振動により内部に収納したゴルフボール１１が外部に放出されることが防止される。なお、蓋部４の開放端から連結端までの長さが開口部３の半径以下であると、閉状態の蓋部４の中央部に空隙が形成されるため、蓋部４は開口部３を完全に閉塞することができない。しかしながら、当該空隙が少なくともゴルフボール１１が通過不能な大きさであれば、収納されたゴルフボール１１が外部に放出されることはない。
【００１７】
また、蓋部４を閉状態に維持するためには、開口７から引出した紐６が引き戻されないように紐６を固定する必要がある。例えば、競技者が紐６に結び目を形成することで、このような紐６の固定を行うことができるが、蓋部４の開閉作業が煩雑になってしまう。このため、本実施の形態では、紐６が引き戻されないように、紐６の任意の位置に固定可能な止め玉８を紐６に移動自在に設けている。
【００１８】
一方、競技者が、閉状態にある蓋部４の開放端を広げる外力を加えると、紐６は開口７から内部に引き込まれ、図１及び図２に示すように、蓋部４の開放端は開状態となる。本実施の形態では、蓋部４の開放端を開口部３と略同形に形成しているので、蓋部４を開状態とすることで、競技者は、内袋１に手を挿入してゴルフボール１１を取出すこと、及び、内袋１内にゴルフボール１１を補充することを容易に行うことができる。なお、このとき、止め玉８は、蓋部４を開状態にするに十分な位置に移動させることはいうまでもない。また、本実施の形態では、蓋部４は上記開閉をスムーズに行う観点から、蓋部４を布地により構成している。
【００１９】
さらに、上記開口部３には、その外縁に沿って、開口部３の形状を維持するための枠部材９が設けられている。当該枠部材９は、例えば、金属やプラスチック樹脂等の針材からなる環状部材により構成することができる。また、環状部材に代えて、外袋２を、その形状を維持可能な硬度を有する材料で構成し、外袋２自体により枠部材９が構成されてもよい。
【００２０】
これにより、蓋部４を開状態から閉状態に変更しても開口部３の形状が維持されるため、蓋部４を閉状態から開状態に変更する作業を片手で容易に行うことが可能となる。
【００２１】
また、本考案のゴルフボール収納具１０は、ゴルフバッグやゴルフカート等の取付け対象物への装着に使用する取付部材２０を備えている。この取付部材２０として、本実施形態では、図１、及び図３に示すように、外れ止め付のフック２１やベルト２２を採用している。ここで、フック２１は、外袋２の外面の上部に設けられた帯状のフック接続部材２３の遊動端に形成された貫通口２３ａに挿通されている。また、ベルト２２は、外袋２の外面のフック接続部材２３を挟んだ２箇所の位置に設けられたベルト通し２４に挿通されている。例えば、ベルト通し２４は、図５（ａ）に示すように、両端が外袋２の外面に固定された帯状の部材や、図５（ｂ）に示すように、一部が外袋２の外面の上部に固定された環状部材で構成することができる。ここで、ベルト２２は、その両端に相互に連結可能な、フックやコネクタ等の連結部材２５を備えることが好ましい。
【００２２】
上記構成によれば、例えば、ゴルフバッグ３０に装着する場合、図６に示すように、ゴルフバッグ３０が備えるショルダーベルト３１接続用の環状部材３２にフック２１を連結することで、ゴルフボール収納具１０を容易に装着することができる。あるいは、ベルト２２によりゴルフバッグ３０の外周を縛ることで、ゴルフバッグ３０にゴルフボール収納具１０を容易に装着することができる。同様に、本構成によれば、ゴルフバッグ３０からゴルフボール収納具１０を容易に離脱することもできる。
【００２３】
このように、ゴルフボール収納具１０をフック２１とベルト２２とのいずれか一方を使用してゴルフバッグ３０に装着してもよいが、この場合、ゴルフボール収納具１０は、フック２１の支持点を支点として遊動したり、ベルト２２とともにゴルフバッグ３０の周囲を回転したりすることが考えられる。このような遊動や回転は、競技者がゴルフボール収納具１０から予備のゴルフボール１１を取出す妨げとなる可能性がある。そこで、フック２１とベルト２２との両方を使用すれば、ゴルフボール収納具１０はゴルフバッグ３０に３点で支持され、遊動や回転をすることなく、ゴルフバッグ３０にゴルフボール収納具１０を装着することができる。なお、ベルト２２は、外周長の異なる取付け対象物に取付けることができるように、公知の長さ調整機能を有することが好ましい。
【００２４】
このように、本考案のゴルフボール収納具１０は、取付け対象物に容易に着脱できるため、例えば、取付け対象物から離れた位置で打席に立つ必要がある場合でも、競技者がゴルフボール収納具１０を携行して移動することができる。このため、ゴルフバッグやゴルフカートから離れた位置でＯＢとなった場合でも、その場で速やかに予備のゴルフボール１１を取出すことができる。
【００２５】
さらに、本考案のゴルフボール収納具１０は、図１及び図３に示すように、内袋１がメッシュ状の底部１ａを備えるとともに、外袋２の底部が排水口２ａを備えている。このため、雨天でのプレー時等にゴルフボール収納具１０内に雨水が浸入した場合でも、当該収納具１０内に水が溜まることを防止できる。特に、外袋２を柔軟な布地で構成し、当該外袋２の略中央部に金属部材からなる排水口２ａを設ける構成とすれば、ゴルフボール収納具１０が取付け対象物に装着された状況下では、排水口２ａの自重により、外袋２の底部は排水口２ａが最も低い位置となる。このため、ゴルフボール収納具１０内に浸入した水は、取付け対象物に装着した状態で、外袋２の外部に自然に排出されることになる。加えて、本実施形態のゴルフボール収納具１０は、上述したように、内袋１が外袋２の外方に引出せる構成であるので、内袋１の内部が濡れた場合でも、拭き取りや乾燥を容易に行うことができる。
【００２６】
以上説明したように、本考案のゴルフボール収納具によれば、ゴルフボールの取出し及び補充を速やかに行うことができるとともに、多数の予備のゴルフボールを収納することができる。
【００２７】
以上、本考案について詳細に説明したが、本考案は上記実施形態に限定されず、本考案の効果を奏する範囲において、種々の変更が可能である。
【産業上の利用可能性】
【００２８】
本考案は、取出し及び補充が容易であり、必要に応じて、ゴルフバッグ等から離脱して携行することができるため、ゴルフボール収納具として極めて有用である。
【図面の簡単な説明】
【００２９】
【図１】本考案の一実施形態を示す斜視図。
【図２】本考案の一実施形態を示す断面図。
【図３】本考案の一実施形態を示す斜視図。
【図４】本考案の一実施形態を示す断面図。
【図５】本考案の一実施形態を示す背面図。
【図６】本考案のゴルフボール収納具をゴルフバッグに装着した状態を示す斜視図。
【符号の説明】
【００３０】
１  内袋
２  外袋
３  開口部
４  蓋部
５  紐通し部
６  紐
８  止め玉
９  枠部材
１０  ゴルフボール収納具
１１  ゴルフボール
２０  取付部材
２１  フック
２２  ベルト
３０  ゴルフバッグ
【図１】
0003110810.tif 000003
【図２】
0003110810.tif 000004
【図３】
0003110810.tif 000005
【図４】
0003110810.tif 000006
【図５】
0003110810.tif 000007
【図６】
0003110810.tif 000008